(57)【要約】【課題】一般的なブラケットと同様に取り扱うことが可能であり、かつ、必要に応じてカバー部材を取り付けて面格子の防犯性および意匠性を向上させることが可能なブラケットを提供する。【解決手段】ブラケット１にブラケットキャップ１０を取り付けることを想定して、ブラケット１の固定部６に係止用凹部３を形成し、また、連結部５に係止孔２を形成する。このとき、係止用凹部３および係止孔２がそれぞれ壁面に平行な所定の方向に開放されるようにする。【選択図】図２
2004316258.tif 000002
【特許請求の範囲】
【請求項１】
固定部材が挿入される孔を有し、前記固定部材を介して壁面に固定される固定部と、
締結部材が挿入される孔を有し、前記締結部材を介して面格子が取り付けられる格子取付部と、
前記固定部および前記格子取付部を連結する連結部とを含み、
前記固定部を覆うカバー部材の一部と係合する第１の係止部が前記固定部に形成されるとともに、前記カバー部材の他の一部と係合する第２の係止部が前記連結部に形成されることを特徴とするブラケット。
【請求項２】
前記第１の係止部および前記第２の係止部は、少なくとも同一方向に対して開放しており、
前記同一方向が前記壁面に平行な方向であることを特徴とする請求項１に記載のブラケット。
【請求項３】
前記第１の係止部は、前記壁面と反対の方向に凸状になるように前記固定部に形成された係止用凹部であり、
前記第２の係止部は、前記連結部に形成された係止孔であることを特徴とする請求項２に記載のブラケット。
【請求項４】
固定部材が挿入される孔を有し前記固定部材を介して壁面に固定される固定部と、締結部材が挿入される孔を有し前記締結部材を介して面格子が取り付けられる格子取付部と、前記固定部および前記格子取付部を連結する連結部とを含み、
前記固定部を覆うカバー部材の一部と係合する第１の係止部が前記固定部に形成されるとともに、前記カバー部材の他の一部と係合する第２の係止部が前記連結部に形成されるブラケット本体と、
前記第１の係止部に係合する第１のカバー側係止部、前記第２の係止部に係合する第２のカバー側係止部、および前記固定部を覆うカバー部を有するカバー部材と、を備え、
前記第１の係止部および前記第２の係止部は、少なくとも同一方向に対して開放しており、前記同一方向が前記壁面に平行な方向であることを特徴とするブラケット。
【請求項５】
固定部材が挿入される孔を有し前記固定部材を介して壁面に固定される固定部と、締結部材が挿入される孔を有し前記締結部材を介して面格子が取り付けられる格子取付部と、前記固定部および前記格子取付部を連結する連結部とを含み、
前記固定部に、少なくとも前記壁面に平行な方向に開放している係止部が形成されたブラケット本体と、
前記連結部の両側端部に係合する一対の係合片、前記係止部に係合する突起部、および前記固定部を覆うカバー部を有するカバー部材と、
を備えたことを特徴とするブラケット。
【請求項６】
前記連結部は、前記格子取付部側における前記両側端間の間隔が前記固定部側における前記両側端間の間隔よりも小さく形成されていることを特徴とする請求項５に記載のブラケット。
【請求項７】
前記一対の係合片は、少なくとも前記連結部の面方向に弾発力を有することを特徴とする請求項６に記載のブラケット。
【発明の詳細な説明】
【０００１】
【発明の属する技術分野】
この発明は、住居の開口部等に設置される面格子の取付に使用されるブラケットに関する。
【０００２】
【従来の技術】
従来、住居等の建築物の窓の外側に取り付けられる面格子の防犯性を高める技術として、ブラケットを住居の壁面に固定する際に、特殊な工具がないと回すことができないネジや通常のドライバ等では締めつける方向にしか回すことができないネジ等の特殊な形状をしたネジが使用されることがあった。つまり、この特殊な形状をしたネジを使用することにより、外部から面格子が取り外される危険性を減じて防犯性を高めていた。
【０００３】
ところが、特殊な形状のネジや特殊な工具は、通常コストがかかるという不都合がある。また、特殊な形状のネジや特殊な工具を使うことに慣れている者の数が少ないという事情もあるため、なるべく一般的に使用されているネジや工具を使用して面格子の取付を行った方が作業効率が向上する。さらに、面格子の取付時にブラケットを壁面に固定するためのネジ等が外部に露出しているため美観性を損ねる虞があった。
【０００４】
そこで、従来の技術の中には、特殊な形状のネジ等を使用することなく外部から面格子が取り外されることを防止するために、面格子を取り付けたときに窓用サッシに固定されるブラケット基部が面格子によって覆われるような形状のブラケットを使用した面格子の取付構造がある（例えば、特許文献１参照。）。この特許文献１に記載の技術によれば、防犯性と意匠性の優れた面格子の取付構造を提供することが可能である、とされている。
【０００５】
【特許文献１】
特開平１０−１９６２４２号公報
【発明が解決しようとする課題】
しかしながら、上述の特許文献に面格子の取付構造を実現するためには、ブラケットの構造を大きく変更する必要が生じるため、このブラケットを通常のブラケットと同様に取り扱うことが困難になる。つまり、特許文献１に記載のブラケットを使用した場合には面格子の取付方法が一般の取付方法と相違するため、面格子を取り付ける際の作業効率が低下する虞がある。また、ブラケットに汎用性がないため、コスト高になるという不都合がある。
【０００６】
この発明の目的は、一般的なブラケットと同様に取り扱うことが可能であり、かつ、必要に応じてカバー部材を取り付けて面格子の防犯性および意匠性を向上させることが可能なブラケットを提供することである。
【０００７】
【課題を解決するための手段】
この発明は以下の構成を備えている。
【０００８】
（１）固定部材が挿入される孔を有し、前記固定部材を介して壁面に固定される固定部と、
締結部材が挿入される孔を有し、前記締結部材を介して面格子が取り付けられる格子取付部と、
前記固定部および前記格子取付部を連結する連結部とを含み、
前記固定部を覆うカバー部材の一部と係合する第１の係止部が前記固定部に形成されるとともに、前記カバー部材の他の一部と係合する第２の係止部が前記連結部に形成されることを特徴とする。
【０００９】
この構成においては、固定部を覆うカバー部材をブラケットに係合させるために使用される第１の係止部および第２の係止部が、それぞれブラケットにおける固定部と連結部に設けられている。
【００１０】
したがって、他に締結部材等を用いなくても、カバー部材が少なくとも２箇所でブラケットに係合するため、固定部を壁面に固定する固定部材をカバー部材を用いて覆い隠す場合に、カバー部材が安定した状態でブラケットに取り付けられる。
【００１１】
（２）前記第１の係止部および前記第２の係止部は、少なくとも同一方向に対して開放しており、
前記同一方向が前記壁面に平行な方向であることを特徴とする。
【００１２】
この構成においては、第１の係止部および第２の係止部が共に、前記壁面に平行な所定の方向に対して開放するように形成されており、前記所定の方向から壁面に沿って自由にカバー部材の係止部が第１の係止部および第２の係止部に係合する。
【００１３】
したがって、ブラケットの固定部が壁面に固定されたままの状態でも、カバー部材の係止部が第１の係止部および第２の係止部にそれぞれ係合するため、面格子の取付が完了した後においても、必要に応じてブラケットにカバー部材が取り付けられる。
【００１４】
（３）前記第１の係止部は、前記壁面と反対の方向に凸状になるように前記固定部に形成された係止用凹部であり、
前記第２の係止部は、前記連結部に形成された係止孔であることを特徴とする。
【００１５】
この構成においては、第１の係止部が壁面に対向するように固定部に形成された係止用凹部であり、第２の係止部は連結部に形成された係止孔である。したがって、第１の係止部および第２の係止部が、簡易な加工によって形成される。
【００１６】
（４）固定部材が挿入される孔を有し前記固定部材を介して壁面に固定される固定部と、締結部材が挿入される孔を有し前記締結部材を介して面格子が取り付けられる格子取付部と、前記固定部および前記格子取付部を連結する連結部とを含み、
前記固定部を覆うカバー部材の一部と係合する第１の係止部が前記固定部に形成されるとともに、前記カバー部材の他の一部と係合する第２の係止部が前記連結部に形成されるブラケット本体と、
前記第１の係止部に係合する第１のカバー側係止部、前記第２の係止部に係合する第２のカバー側係止部、および前記固定部を覆うカバー部を有するカバー部材と、を備え、
前記第１の係止部および前記第２の係止部は、少なくとも同一方向に対して開放しており、前記同一方向が前記壁面に平行な方向であることを特徴とする。
【００１７】
この構成においては、ブラケット本体の固定部に設けられた第１の係止部、およびブラケット本体の連結部に設けられた第２の係止部に、カバー部材に形成されたカバー側係止部が係合しカバー部によってブラケット本体の固定部が覆われる。さらに、第１の係止部および第２の係止部が、壁面に平行な所定の方向からカバー部材の取付が可能な形状をしている。
【００１８】
したがって、ブラケット本体を用いて面格子を住居の壁面に取り付けた後に、カバー部材をブラケット本体に取り付けることにより、ブラケット本体を壁面に固定する固定部材が外部に露出することがなくなるため、面格子の美観性および防犯性の向上が図られる。
【００１９】
（５）固定部材が挿入される孔を有し前記固定部材を介して壁面に固定される固定部と、締結部材が挿入される孔を有し前記締結部材を介して面格子が取り付けられる格子取付部と、前記固定部および前記格子取付部を連結する連結部とを含み、
前記固定部に、少なくとも前記壁面に平行な方向に開放している係止部が形成されたブラケット本体と、
前記連結部の両側端部に係合する一対の係合片、前記係止部に係合する突起部、および前記固定部を覆うカバー部を有するカバー部材と、を備えたことを特徴とするブラケット。
【００２０】
この構成においては、ブラケット本体の固定部に壁面に平行な方向に開放している係止部が形成されており、この係止部に係合する突起部とブラケット本体の連結部の両側端部に係合する一対の係合片を有するカバー部材によってブラケット本体の固定部が覆われる。
【００２１】
したがって、面格子を取り付けたときに壁面にブラケット本体を固定するための固定部材がカバー部材によって覆われて外部に露出することがないため、面格子の美観性および防犯性が向上する。
【００２２】
（６）前記連結部は、前記格子取付部側における前記両側端間の間隔が前記固定部側における前記両側端間の間隔よりも小さく形成されていることを特徴とする。
【００２３】
この構成においては、ブラケット本体における連結部が固定部側の幅が広く格子取付部側の幅が狭くなるようなテーパ状に形成されている。したがって、ブラケット本体の連結部の両端にカバー部材の前記一対の係合片を係合させるのが容易になる。
【００２４】
（７）前記一対の係合片は、少なくとも前記連結部の面方向に弾発力を有することを特徴とする。
【００２５】
この構成においては、カバー部材の前記一対の係合片が前記連結部の面方向に弾発力を持つように形成されている。したがって、カバー部材をブラケット本体に取り付ける時に前記一対の係合片の間隔が適宜拡がるとともに、取り付け完了後において前記一対の係合片の間隔が元通りの間隔に戻り前記連結部の両側端部に係合するため、容易にカバー部材がブラケット本体に取り付けられる。
【００２６】
【発明の実施の形態】
以下、図を用いて、本発明のブラケットの第１の実施形態および第２の実施形態を説明する。
【００２７】
図１は、本発明のブラケットの使用状態の一例を示している。同図に示すように、住居の窓２２の外側に面格子２０を取り付けて防犯性を高める方法が従来から広く用いられている。ここで、従来のブラケットを使用した場合、ブラケットを壁面２１に固定するためのネジ等の固定部材が外部に露出するという不都合があった。本発明は、容易にブラケットキャップ１０を取り付けることが可能な形状のブラケット１を用いることにより、ブラケット１を壁面に固定するための部材が外部に露出することを防止して面格子の美観性および防犯性を向上させることを特徴とするものである。
【００２８】
図２は、第１の実施形態におけるブラケット１の構成を示す図である。ここで、図２（ａ）は本発明のカバー部材としてのブラケットキャップ１０を取り付ける前のブラケット１の状態を示しており、図２（ｂ）はブラケットキャップ１０を付けた後のブラケット１の状態を示している。また、図３は、ブラケット１を用いた面格子の取付構造の一例を示す図である。
【００２９】
まず、図２および図３を用いて本実施形態に係るブラケット１の構成を説明する。本実施形態におけるブラケット１は、ステンレス素材が用いられており、住居の壁面２１に固定される固定片６と、面格子２０が取り付けられる格子取付片４と、固定片６および格子取付片４を連結する連結片５とで構成される。図に示すように、固定片６、連結片５、および格子取付片４はそれぞれの間で略直角に折り曲げられている。ただし、折曲角度は必ずしも９０度にする必要はなく、ブラケット１が使用される場所や、ブラケット１に必要される強度等を考慮して適当な折曲角度にすることも可能である。
【００３０】
本実施形態では固定片６が本発明の固定部を構成し、連結片５が本発明の連結部を構成し、格子取付片４が本発明の格子取付部を構成する。また、固定片６、連結片５、および格子取付片４の配置は上述の構成に限定されるものではなく、折曲角度を変更する等によりブラケット１の形状のバリエーションを増加することが可能である。例えば、格子取付片４と連結片５とを同一平面上に配置することで、ブラケット１をＬ字状にすることが可能である。このＬ字状のブラケットをブラケット１とともに用いると、面格子の一端をある壁面に固定するとともに、他端をこの壁面に直交する壁面に固定することが可能になる等、面格子の取付構造の自由度が向上する。
【００３１】
格子取付片４は、角が丸く加工された長方形の板状の部材であり、ブラケットの一方の端部側に配置される。または、格子取付片４は、面格子２０と格子取付片４とを締結するためのネジ８が挿入される孔９ａを有している。図３に示すように、格子取付片４に面格子２０を取り付ける際に、格子取付片４は面格子２０に固定される。このとき、面格子２０のフレームの一部と格子取付片４とがネジ８と裏板７によって挟み込まれて固定される。
【００３２】
ブラケット１の他方の端部側には、板状の固定片６が配置されている。固定片６は、ブラケット１を壁面２１に固定するためのネジが挿入される孔９ｂを有している。また、固定片６には、正面の断面が台形状の係止用凹部３が形成されている。本実施形態では係止用凹部３が本発明の第１の係止部を構成する。なお、図３に示すように固定片６の孔９ｂにネジ等の固定部材が挿入されて壁面に固定部材がねじ込まれることにより固定片６が壁面に固定される。
【００３３】
連結片５は、上述の格子取付片４と固定片６とを連結するため部材である。連結片５は、図に示すように長方形の板状を呈している。また、連結片５は、その下端から所定の高さの位置に長孔状の係止孔２が形成されている。本実施形態では、係止孔２が本発明の第２の係止部を構成する。
【００３４】
図４は、ブラケット１に取り付けられるブラケットキャップ１０の構成を示している。同図に示すように、本実施形態におけるブラケットキャップ１０は、硬質樹脂性素材が用いられており一方向の壁板が欠けたバケット形状をしている。すなわち、ブラケットキャップ１０は、角が丸められた長方形板状のカバー部１５と、カバー部１５の３辺からカバー部１５の面に直交するように延び出した壁板１６によって構成されている。
【００３５】
ブラケットキャップ１０は、カバー部１５における壁板１６が形成されていない端部に係止用フック部１２が形成されている。また、係止用フック部１２が形成されている辺の反対側の辺から延び出した壁板１６の端部に係止用突起１３が形成されている。本実施形態においては、係止用フック部１２が本発明の第２のカバー側係止部を構成し、係止用突起１３が本発明の第１のカバー側係止部を構成する。ここで、係止用フック部１２および係止用突起１３は、互いに平行に形成されているため、後述のように所定の方向に対して開放するように形成されたブラケット１側の係止部に容易に係合させることが可能である。
【００３６】
ブラケットキャップ１０をブラケット１に取り付けるとき、図２（ａ）の矢印で示す方向にブラケットキャップ１０の取付が行われる。これに対して、ブラケット１側に形成されている係止孔２および係止用凹部３はいずれもブラケットキャップ１０の取り付け方向と反対方向（図中の矢印と反対方向）であって壁面２１に平行な方向に開放している。なお、ここで開放とは、所定の方向（ここでは、図中の矢印と反対方向をいう。）に壁板等の障害物がなく、所定方向から係止孔２および係止用凹部３に対する出入りが自由に行える状態を意味している。このように、係止孔２および係止用凹部３が、壁面２１に平行な所定の方向に開放しているのは、固定片６が壁面２１に固定された状態であっても、係止孔２および係止用凹部３にブラケットキャップ１０が係合するようにするためである。
【００３７】
ブラケットキャップ１０を図中の矢印の方向に移動しつつブラケット１に取り付けると、係止用フック部１２が係止孔２の中に収まって係合状態が形成されるとともに、係止用突起１３と係止用凹部３との間においても係合状態が形成される。この結果、ブラケットキャップ１０はブラケット１に係合した状態で固定されるため、図２（ｂ）に示すようにブラケットキャップ１０によってブラケット１の固定片６が覆われて、ブラケット１を壁面２１に固定している固定部材が外部に露出することを防止できる。
【００３８】
図５は、本実施形態に用いられるブラケットの形状のバリエーションを示している。同図に示すように連結片５に伸縮機構を設けて連結片５を伸縮自在にする場合にも本発明を適用することが可能である。なお、図に示す伸縮機構としては従来から使用されている構成を適用することが可能であり、ここでは説明を省略する。
【００３９】
なお、ブラケット１とブラケットキャップ１０とに同一の模様および色彩を付したり、同一の質感を出すようにすればブラケット１の美観性が向上する。また、ブラケット１を壁面２１に固定する固定部材が外部に露出することを防止するだけで、壁面２１からブラケット１を取り外すことが困難であるような印象を与えるため、固定部材を取り外されて面格子２０が外されるケースを減少させることが可能になる。さらに、ブラケットキャップ１０によって固定部材等を保護することにより防食性を向上させることが可能になる。
【００４０】
図６は、本発明の第２の実施形態にかかるブラケット１′の構成を示している。図６（ａ）はブラケット１′にブラケットキャップ１０′を取り付ける前の状態を示しており、図６（ｂ）はブラケット１′にブラケットキャップ１０′を取り付けた状態を示している。
【００４１】
ブラケット１′は、第１の実施形態におけるブラケット１と同様に、ステンレス素材が用いられ、格子取付片４、連結片５、および固定片６によって構成されている。ただし、ブラケット１′では、第１の実施形態におけるブラケット１と異なり、連結片５が固定片６に対して所定の角度で傾斜するように配置されている。
【００４２】
格子取付片４は、第１の実施形態と同様に締結部材を介して面格子２０が取り付けられる。連結片５は、台形の板状を呈しており固定片６側から格子取付片４側に行くにしたがって両側端間の間隔（幅）が狭くなるように形成されている。固定片６は、固定部材を介して図示しない壁面に固定される。固定片６における固定時に壁面に当接する面側の端部に係止用凹部３が形成されている。係止用凹部３は、壁面に平行な所定の方向に開放するように形成されている。また、係止用凹部３は、固定片６における壁面に当接する面と反対の面側に表れることがないため、ブラケットキャップ１０′を付けていない状態でも目立つことはない。
【００４３】
図７は、第２の実施形態におけるブラケットキャップ１０′の構成を示している。同図に示すように、ブラケットキャップ１０′は、固定片６を覆うカバー部１５と、カバー部１５の両端部にカバー部１５に直交するように配置された壁板１６によって構成されている。
【００４４】
カバー部１５の端部には係止用突起１３が形成される。また、カバー部１５の両側端部に互いに対向するように形成された一対の壁板１６の端部から鉤型状の一対の係合片１４が延び出している。
【００４５】
ブラケットキャップ１０′をブラケット１′に取り付ける際には、連結片５のテーパ状の形状を利用して格子取付片４側における連結片５の両端部に係合片１４を係合させつつ、連結片５における固定片６側にブラケットキャップ１０′をスライドさせる。このとき、係止用突起１３が係止用凹部３に係合するまでブラケットキャップ１０′をスライドさせるとブラケットキャップ１０′の取付が完了する。
【００４６】
ただし、連結片５が必ずしも上述のテーパ状に形成されている必要はない。例えば、比較的大きな面格子２０を壁面２１に取り付ける際には、中間ブラケットを使用することがあるが、この中間ブラケットには通常、両端部間の間隔が一定の連結片５、すなわち長方形板状の連結片５が使用されることがある。
【００４７】
このような場合には、ブラケットキャップ１０′における一対の係合片１４に連結片５に押し当てられたときに連結片５の両側端部からの押圧力で一対の係合片１４間の間隔が拡げられ、連結片５の両側端部と一対の係合片１４との係合状態が形成されたときに一対の係合片１４間の間隔が元通りに戻るような弾発力を持たせることで、ブラケット１′に対してブラケットキャップ１０′を正面から押し当てて取り付けることが可能になる。上述の作用を得るためには、一対の係合片１４が少なくとも連結片５の面方向に弾発力を有している必要がある。
【００４８】
上述の実施形態に示すように、本発明のブラケット１は、ブラケットキャップ１０を取り付けていない状態でも通常のブラケットと同等の外観を有しており、かつ、ブラケット１を壁面２１に固定した後に事後的にブラケットキャップ１０を取り付けることが可能であるため、面格子２０を取り付ける際に様々な用い方をすることができる。
【００４９】
最後に、ブラケット１とブラケットキャップ１０との係合状態の安定性について、連結片５が固定片６に対して所定の角度で折り曲げられているため、係止用凹部３および係止孔２がそれぞれ同一平面上に配置される場合に比較して、ブラケットキャップ１０をブラケット１により安定した状態で係合させることが可能になっている。
【００５０】
【発明の効果】
以上のように、この発明によれば、以下の効果を奏することができる。
【００５１】
（１）固定部を覆うカバー部材をブラケットに係合させるために使用される第１の係止部および第２の係止部を、それぞれブラケットにおける固定部と連結部に設けたことにより、他に締結部材等を用いなくても、カバー部材を少なくとも２箇所でブラケットに係合させることができ、固定部を壁面に固定する固定部材をカバー部材を用いて覆い隠す場合に、カバー部材を安定した状態でブラケットに取り付けることが可能になるため、面格子の美観性および防犯性を向上させることができる。
【００５２】
（２）第１の係止部および第２の係止部が共に、前記壁面に平行な所定の方向に対して開放するように形成されており、前記所定の方向から壁面に沿って自由にカバー部材の係止部を第１の係止部および第２の係止部に係合させることができることにより、ブラケットの固定部が壁面に固定されたままの状態でも、カバー部材の係止部を第１の係止部および第２の係止部にそれぞれ係合させることができるため、面格子の取付が完了した後においても、必要に応じてブラケットにカバー部材を取り付けることが可能になる。
【００５３】
（３）第１の係止部が壁面に対向するように固定部に形成された係止用凹部であり、第２の係止部は連結部に形成された係止孔であることにより、第１の係止部および第２の係止部を複雑な加工をすることなく簡易な加工によって形成することが可能になる。
【００５４】
（４）ブラケット本体の固定部に設けられた第１の係止部、およびブラケット本体の連結部に設けられた第２の係止部に、カバー部材に形成されたカバー側係止部を係合させてカバー部によってブラケット本体の固定部を覆うことにより、第１の係止部および第２の係止部を、壁面に平行な所定の方向からカバー部材の取付が可能な形状にしたことにより、ブラケット本体を用いて面格子を住居の壁面に取り付けた後に、カバー部材をブラケット本体に取り付けることにより、ブラケット本体を壁面に固定する固定部材が外部に露出することをなくし、面格子の美観性および防犯性の向上を図ることが可能になる。
【００５５】
（５）ブラケット本体の固定部に壁面に平行な方向に開放している係止部を形成し、この係止部に係合する突起部とブラケット本体の連結部の両側端部に係合する一対の係合片を有するカバー部材によってブラケット本体の固定部を覆うことにより、面格子を取り付けたときに壁面にブラケット本体を固定するための固定部材がカバー部材によって覆われて外部に露出することがないため、面格子の美観性および防犯性を向上させることが可能になる。
【００５６】
（６）ブラケット本体における連結部を、固定部側の幅が広く格子取付部側の幅が狭くなるようなテーパ状に形成したことにより、ブラケット本体の連結部の両端にカバー部材の前記一対の係合片を容易に係合させることが可能になる。
【００５７】
（７）カバー部材の前記一対の係合片が前記連結部の面方向に弾発力を持つように形成されていることにより、カバー部材をブラケット本体に取り付ける時に前記一対の係合片の間隔が適宜拡がるとともに、取り付け完了後において前記一対の係合片の間隔が元通りの間隔に戻り前記連結部の両側端部に係合するため、容易にカバー部材をブラケット本体に取り付けることが可能になる。
【００５８】
よって、一般的なブラケットと同様に取り扱うことが可能であり、かつ、必要に応じてカバー部材を取り付けて面格子の防犯性および意匠性を向上させることが可能なブラケットを提供することができる。
【図面の簡単な説明】
【図１】本発明のブラケットの使用状態の一例を示す図である。
【図２】第１の実施形態におけるブラケットの構成を示す図である。
【図３】第１の実施形態におけるブラケットを用いた格子取付構造を示す図である。
【図４】第１の実施形態におけるブラケットキャップの構成を示す図である。
【図５】第１の実施形態におけるブラケットの構成のバリエーションを示す図である。
【図６】第２の実施形態におけるブラケットの構成を示す図である。
【図７】第２の実施形態におけるブラケットキャップの構成を示す図である。
【符号の説明】
１−ブラケット
２−係止孔
３−係止用凹部
４−格子取付片
５−連結片
６−固定片
７−裏板
８−ネジ
９（９ａ、９ｂ）−孔
１０−ブラケットキャップ
１２−係止用フック部
１３−係止用突起
１４−係合片
１５−カバー部
【図１】
2004316258.tif 000003
【図２】
2004316258.tif 000004
【図３】
2004316258.tif 000005
【図４】
2004316258.tif 000006
【図５】
2004316258.tif 000007
【図６】
2004316258.tif 000008
【図７】
2004316258.tif 000009